(57)【特許請求の範囲】
【請求項１】
空気調和装置の屋外に設置する室外機内の熱交換器をノズルからの噴霧で冷却する室外機冷却装置であって、
前記熱交換器から所要寸法離れた外方に第１種ノズルおよび第２種ノズルを含む複数種のノズルを配置し、
前記第１種ノズルからの噴霧中の水滴の平均径より前記第２種ノズルからの噴霧中の平均水滴径を小とし、かつ、前記第１種ノズルは少なくとも運転開始時に所要時間噴霧して前記室外機を濡らした後に停止するものである一方、前記第２種ノズルは前記第１種ノズルの噴霧停止後に間欠的に噴霧して前記熱交換器を湿った冷却空気で冷却する構成としている室外機冷却装置。
【請求項２】
前記室外機のケースに設けられた吸気口を囲む遮光用のカバーを取り付け、該カバーの内部に、前記熱交換器から所要寸法離れた外方に前記第１種ノズルと第２種ノズルを配置している請求項１に記載の室外機冷却装置。
【請求項３】
前記第１種ノズルへの供給水圧を０．１ＭＰa以上０．５ＭＰa未満とし、該第１種ノズルの噴霧の平均水滴径を４０〜９０μｍとし、
前記第２種ノズルへの供給水圧を１ＭＰａ以上２ＭＰａ以下とし、該第２種ノズルの噴霧の平均水滴径を２０〜４０μｍの範囲としている請求項１または請求項２に記載の室外機冷却装置。
【請求項４】
前記室外機のケース内部には、遮光用のカバーで囲まれた吸気口に面した位置に前記熱交換器を配置すると共に、該熱交換器の背面側にファンを配置し、該ファンに面した位置に排気口を設け、
前記熱交換器から１０ｃｍ〜１００ｃｍ離れた位置に前記第１種ノズルおよび第２種ノズルを取り付け、該第１種ノズルと第２種ノズルからの噴霧により前記熱交換器の周辺の空気を冷却すると共に湿度６５％ＲＨ以上１００％ＲＨ未満に高めている請求項１乃至請求項３のいずれか１項に記載の室外機冷却装置。
【請求項５】
第３種ノズルを設置し、前記第２種ノズルの噴霧停止後に薬液噴霧用または貯留した雨水の噴霧用としている請求項１乃至請求項４のいずれか１項に記載の室外機冷却装置。
【発明の詳細な説明】
【技術分野】
【０００１】
本発明は室外機冷却装置に関し、詳しくは、室内や店舗内等の屋内に設置する空気調和機（所謂、室内用エアコンディショナー）に冷媒循環用の配管を介して連結し、屋外に設置する室外機を夏季等の高気温時に冷却する装置に関するものである。
【背景技術】
【０００２】
室外機に備えた熱交換器は、高温時に熱交換効率が低下して冷房能力が低下し、負荷が増大して電力消費量が大きくなるため、室外機を冷却して熱交換効率を改良することが求められている。そのため特開２０００−２８２３０号公報で、熱交換器にノズルから水を噴霧して冷却するようにし、かつ、噴霧が熱交換器に付着する前に気化させるためにノズルを室外機から離して配置する冷却装置が提案されている。
【０００３】
即ち、ノズルから噴霧された水が熱交換器のフィンに当たると、濡れ、乾き（蒸発）を繰り返し、水道水に含まれるスケール成分（カルシウム、マグネシウム等）がフィンに固着していまい、熱交換器の効率を低下させ、且つ熱交換器の寿命が短くなる。よって、熱交換器に水滴が付着しないようにし、具体的には、噴霧水圧２〜１０ＭＰａで水滴３〜６０μｍ（水圧６ＭＰａで２０μｍ）の噴霧を噴射するノズルを室外機から３０ｃｍ〜１ｍ離反して設置している。これによりノズルから室外機に向かう噴霧は室外機に当たる前に気化させ、室外機の周囲の空気を冷却して室外機を間接的に冷却している。
【先行技術文献】
【特許文献】
【０００４】
【特許文献１】特開２０００−２８２３０号公報
【発明の概要】
【発明が解決しようとする課題】
【０００５】
前記のように、特許文献１では、ノズルと室外機の距離を３０ｃｍ〜１ｍの範囲で離し、且つ、ノズルから噴射される噴霧に含まれる水滴を３〜６０μｍと微細として、熱交換器に水滴が当たる前に蒸発させているため、室外機の熱交換器のフィンに水滴に含まれるスケールが付着するのを防止または低減することができる。
しかしながら、熱交換器から３０ｃｍの近い距離とすると熱交換器の周りの空気の冷却効果は高まるが、水圧を１０ＭＰａ程度と高圧にする必要がある。そのため、プランジャーポンプが必要となり、イニシャルコストおよびランニングコストがかかり費用対効果の関係で実施に不適となる。一方、水圧を低下して水滴を６０μｍとすると、離間距離を１ｍとする必要があり、熱交換器周りの空気の冷却効率は低くなると共に、室外機が大型化し、設置スペースをとる問題がある。
前記のように、ノズルからの噴霧の水滴を微小として熱交換器に全く付着しない設定とした場合、ランニングコストが高くなる問題があると共に、熱交換器の冷却効果が低く、ノズルからの噴霧を常時行う必要があり、よりランニングコストが高くなる問題がある。
【０００６】
本発明は、前記問題を解消せんとするもので、高コストをかけることなく室外機の冷却効率を高めることを課題としている。
【課題を解決するための手段】
【０００７】
前記課題を解決するため、本発明は、空気調和装置の屋外に設置する室外機内の熱交換器をノズルからの噴霧で冷却する室外機冷却装置であって、
前記熱交換器から所要寸法離れた外方に第１種ノズルおよび第２種ノズルを含む複数種のノズルを配置し、
前記第１種ノズルからの噴霧中の水滴の平均径より前記第２種ノズルからの噴霧中の平均水滴径を小とし、かつ、前記第１種ノズルは少なくとも運転開始時に所要時間噴霧して前記室外機を濡らした後に停止するものである一方、前記第２種ノズルは前記第１種ノズルの噴霧停止後に間欠的に噴霧して前記熱交換器を湿った冷却空気で冷却する構成としている室外機冷却装置を提供している。
【０００８】
本発明の室外機冷却装置では、運転開始時に、まず、第１種ノズルの噴霧を開始し、該噴霧で熱交換器を湿らせて冷却する。該第１種ノズルからの噴霧で熱交換器の表面を湿らす程度としており、熱交換器に噴霧された水滴で熱交換器の表面が水で濡れて水滴が下方に滴下するような噴霧としていない。
前記第１種ノズルを所要時間継続した後に停止し、次いで、前記第２種ノズルの噴霧を間欠的に行う。第２種ノズルからの噴霧の水滴は第１種ノズルからの噴霧の水滴より小さく、第１種ノズルによる熱交換器の表面の湿りを第２種ノズルからの噴霧で持続できるようにしている。即ち、第２種ノズルからの最初の噴霧は第１種ノズルからの噴霧で熱交換器の表面から蒸発した水分を補充する為になされ、その後の第２種ノズルからの噴霧は、熱交換器表面の湿りを持続させて冷却するために必要最低限の噴霧とするために間欠噴霧としている。これにより、常時噴霧と比較してランニングコストを低下すると共に、熱交換器表面に過剰に水分を付与しないため、熱交換器の表面に水道水に含まれるスケールが付着することも防止または低減することができる。
【０００９】
前記室外機のケースに設けられた吸気口を囲む遮光用のカバーを取り付け、該カバーの内部に、前記熱交換器から所要寸法離れた外方に前記複数種のノズルを配置することが好ましい。
【００１０】
前記のように、吸気口を遮光用のカバーで覆うことで、吸気口を通して熱交換器が直射日光で照射されて過熱されるのを防止できる。且つ、カバーで日陰にすることにより周辺温度より低温環境とし、吸気口を通して熱交換器に吸気される空気の温度低下を促進できる。該カバーは前記吸気口を囲むコ字形状あるいは底壁を開口した逆Ｌ字形状とし、カバーには通気穴を設けることが好ましい。このように、カバーにより熱交換器の過熱防止および吸気温度の降下を図ると共に、前記噴霧による熱交換器自体の冷却との組み合わせで、効率の良い室外機の冷却を行うことができる。
【００１１】
前記第１種ノズルへの供給水圧を０．１ＭＰa以上０．５ＭＰa未満とし、該第１種ノズルの噴霧の平均水滴径を４０〜９０μｍとし、
前記第２種ノズルへの供給水圧を１ＭＰａ以上２ＭＰａ以下とし、該第２種ノズルの噴霧の平均水滴径を２０〜４０μｍの範囲とすることが好ましい。
【００１２】
前記のように、第１種ノズルからの噴霧は水圧を低くして水滴を比較的大きくし、第２種ノズルからの噴霧は水圧を高くして水滴を比較的小さくしている。
且つ、第１種ノズルの水圧を０．１ＭＰa以上０．５ＭＰa未満、第２種ノズルの水圧を１ＭＰａ以上２ＭＰａ以下として前記特許文献１より低くしているため、高圧ポンプの設置を不要にでき、イニシャルコストおよびランニングコストを低下できる。
【００１３】
前記熱交換器から１０ｃｍ〜１００ｃｍ離れた位置に前記第１種ノズルおよび第２種ノズルを設置し、該第１種ノズルと第２種ノズルからの噴霧により前記熱交換器の周辺の空気を冷却すると共に、湿度を６５％ＲＨ以上１００％ＲＨ未満に高めることが好ましい。
【００１４】
具体的には、前記第１種ノズルおよび第２種ノズルは前記カバー内に設けた配管に取り付けている。前記第１種ノズルの噴霧方向を前記熱交換器の吸気口に向けた方向とし、熱交換器に直接湿り気を与えている。前記第２種ノズルはカバーの内部の湿度を高めることで、熱交換器の表面に湿り気を帯びさせれば良いため、カバー内部に設置すれば、その配置位置および噴霧方向は特に限定されない。第２種ノズルのカバー内での配置位置は第１種ノズルの後方でもよいし、並列位置でもよい。また、第２種ノズルの噴霧方向は第１種ノズルと同様に熱交換器に向けても良いし、反対方向や斜め方向でも良い。
【００１５】
例えば、ケースの吸気口を囲むように配置する断面コ字形状のカバーの上壁の下面前方に第１種ノズルを前記吸気口に向けて傾斜して突設し、該第１種ノズルの後側の上壁と縦壁の隅部に第２種ノズルを傾斜して突設し、且つ、別の第２種ノズルは縦壁と下壁の隅部に上方傾斜して突設している。
あるいは、カバーの上壁と縦壁の隅部に第１種ノズルを吸気口に向けて傾斜して突設し、複数の第２種ノズルを下壁の前後に上向きに突設している。
前記第１種ノズルと第２種ノズルの取付個数は、第１種ノズルに対して第２種ノズルの設置個数を倍とする等、第２種ノズルの設置個数を多くするのが好ましい。
【００１６】
また、気温が３０度以上に達すると前記第１種ノズルの噴霧を開始し、続いて、第２種ノズルの噴霧を開始し、排気温度が外気温と同等となると第２種ノズルの噴霧を停止し、さらに、噴霧継続時間、噴霧停止時間を制御する制御手段を設けることが好ましい。
前記制御手段で第１種ノズルおよび第２種ノズルの噴霧を制御し、熱交換器の排気ロからの排気温度が外気温と同等とすることが好ましい。これにより、室外機からの排気で気温が上昇するのを防止することができ、所謂ヒートアイランド現象の発生を抑制できる。
【００１７】
前記第１種ノズルおよび第２種ノズルは金属製または樹脂製のいずれでもよい。ノズルの形状は噴霧する平均水滴径が２０〜９０μｍの微粒化したセミドライフォグとなる形状とすることが好ましい。該ノズルとして、例えば、本出願人の先願である特開２００８−１０４９２９号公報に開示した一流体ノズル等が好適に用いられる。
該第１種ノズルと第２種ノズルは同一のノズルを用い、供給する水圧を変えることで、噴霧する平均水滴径を相違させ、水滴径、流量、噴霧時間、噴霧方向の組み合わせを調整して、熱交換器全体に最適な液滴径の噴霧を最適な噴霧流量で供給できるようにしている。
【００１８】
前記第１種ノズル、第２種ノズルから水道水を噴射し、さらに、第３種ノズルを設置し、該第３種ノズルから前記第２種ノズルの噴霧停止時に薬液を噴霧し、または水道水を浄化処理した純水を熱交換器に噴射し、第１種ノズルや第２種ノズルから噴霧された水滴が熱交換器に付着していても、第３種ノズルから噴霧する水滴で洗い流すようにすることが好ましい。あるいは、該第３種ノズルを貯留した雨水の噴霧用としてもよい。
前記第３種ノズルを設置する場合、該第３種ノズルも第１種ノズルおよび第２種ノズルと同様に前記カバー内に設けた配管に設置することが好ましい。
【発明の効果】
【００１９】
前述したように、本発明では、室外機内の熱交換器を冷却するノズルを、室外機から所要寸法離れた外方に配置し、該ノズルからの噴霧で熱交換器の吸気温度を下げると共に熱交換器自体を湿らせ、熱交換器を効率良く冷却している。かつ、ノズルは、噴霧する水滴径を相違させた第１種ノズルと第２種ノズルを用い、運転開始時に水滴の大きな第１種ノズルから噴射して熱交換器を湿らせ、その後、水滴の小さい第２種ノズルからの噴霧を湿りを継続できる程度に間欠的に行っている。このように、熱交換器の表面から水滴が滴下する程の噴霧を行わず、熱交換器の表面を湿らせる程度としていることで、熱交換器表面のスケールの発生を防止できると共に、ランニングコストを低下できる。
【図面の簡単な説明】
【００２０】
【図１】本発明の第１実施形態の室外機全体の概略図である。
【図２】第１実施形態の室外機に補助装置を付設した状態を示す拡大断面図である。
【図３】第１種ノズルと第２種ノズルの作動のタイムチャートである。
【図４】第１実施形態で使用するノズルの断面図である。
【図５】第２実施形態の一部断面図である。
【図６】（Ａ）〜（Ｃ）は第２実施形態の変形例を示す一部断面図である。
【図７】（Ａ）（Ｂ）は第２実施形態の他の変形例を示す一部断面図である。
【図８】第３実施形態を示す拡大断面図である。
【発明を実施するための形態】
【００２１】
以下、本発明の実施形態を図面を参照して説明する。
図１乃至図４に第１実施形態を示す。
図１に示すように、空気調和装置の室内機（図示せず）と配管を介して接続される室外機１を屋外に設置している。該室外機１はケース２の内部に前記配管と連続させる熱交換器３と、該熱交換器３の背面側にファン（送風機）４を収容している。よって、熱交換器３の前面側が吸気側となり、該吸気側のケース２に吸気ロ２ａを設けると共に、熱交換器３の後部に配置するファン４の背面側となるケース側面に排気口２ｂを設けている。
本実施形態では、図１に示すように、室外機１を４個並設しているが、室外機１が１個の場合も適用される。
【００２２】
前記ケース２の前面から前記吸気口２ａを囲む断面略逆Ｌ形状のカバー５を突設している。該カバー５は上壁５ａ、吸気口２ａと対向する正面壁５ｂと側壁５ｃを備え、下面開ロとしている。該カバー５は並設した４個の室外機１のカバーとしている。
また、正面壁５ｂに複数の通気穴５ｄを設け、各通気穴５ｄを囲む下面開口の庇５ｅを設けている。該形状としたカバー５でケース２の吸気口を囲むように取り付けることにより、熱交換器３の吸気側を直射日光から遮断し、熱交換器３自体の過熱を防止し、かつ、吸気口２ａから吸い込まれるカバー５内の空気の過熱も防止している。
【００２３】
前記カバー５は断熱性を有するポリエチレン等の樹脂材で成形している。カバー５の正面壁５ｂと熱交換器３の吸気側面３ａとの距離は１０ｃｍ〜１００ｃｍ、好ましくは２０ｃｍ〜５０ｃｍとしている。
【００２４】
図１に示すように、カバー５の正面壁５ｂの内面に沿って水道水の供給管１２Ａを水平方向に配管し、該供給管１２Ａに各室外機１毎に垂直方向の分岐配管１２Ｂを分岐させ、該分岐配管１２Ｂに４つのノズル１０Ａ、１１Ａ、１０Ｂ、１１Ｂを上下方向に間隔をあけて取り付けている。なお、図２には、便宜的に、供給管１２Ａおよび分岐配管１２Ｂをカバー５の外部に位置させて記載している。
詳細には、上側にノズル１０Ａと１１Ａとを所定寸法をあけて配置し、ノズル１０Ａの噴霧範囲にノズル１１Ａの噴霧範囲が重なるように設置している。同様に、下側にノズル１０Ｂと１１Ｂとを所定寸法をあけて配置し、ノズル１０Ｂの噴霧範囲にノズル１１Ｂの噴霧範囲が重なるように設置している。
【００２５】
前記上下縦方向に並列する４つのノズル１０Ａ〜１１Ｂは図４に示す一流体のスプレーノズルであり、同一形状のノズルとしている。ノズル１０Ａ、１０Ｂは第１種ノズルとして同一の供給水圧とすると共に同期制御している。ノズル１１Ａ、１１Ｂは第２種ノズルとして同一の供給水圧とすると共に同期制御している。前記第１種ノズルの供給水圧は第２種ノズルの供給水圧より低くし、かつ、噴霧時間は第１種ノズルと第２種ノズルとも間欠とすると共に、第１種ノズルの噴霧直後に第２種ノズルを噴霧している。
【００２６】
前記第１種ノズル１０（１０Ａと１０Ｂ）は分岐配管１２Ｂ、供給管１２Ａを介して水道水からなる水源に接続し、供給水圧は０．１ＭＰa以上０．５ＭＰa未満としている。  図２に示すように、第２種ノズル１１（１１Ａと１１Ｂ）は分岐配管１２Ｂから分岐させてポンプ８を介設した分岐配管１２Ｃに接続し、ポンプ８で供給水圧を１ＭＰａ以上２ＭＰａ以下に高めて供給している。
また、分岐配管１２Ｂ、１２Ｃにそれぞれソレノイド式の開閉弁１３、１４を介設し、該開閉弁１３、１４を制御盤１５で開閉制御している。また、該制御盤１５は室外機１の周縁に配置した温度センサ１７と接続し、温度センサが気温３０℃であることを検知すると、前記ノズルからの噴霧を開始するようにしている。かつ、熱交換器３の表面の濡れの有無を検出する濡れセンサ１８と接続している。濡れセンサ１８は熱交換器３の表面が湿りを帯びている状態は濡れではないためオフであり、熱交換器の表面が水で濡れている状態に達するとオンする設定としている。
【００２７】
前記制御盤１５で図３に示すように第１種ノズル１０と第２種ノズル１１との噴霧を制御している。即ち、排気口の温度が３０℃に達すると第１種ノズル１０の噴霧を開始してｔ１時間継続し、ｔ２時間噴霧を停止した後に第２種ノズルをｔ３時間噴霧する。ついで、ｔ４時間噴霧を停止した後に第２種ノズル１１を噴霧する。この間欠的な繰り返しを行うが、濡れセンサ１８がオンで濡れが持続していると、第２種ノズル１１の噴霧を停止する。これにより、熱交換器３の過剰な濡れを防止している。濡れセンサ１８がオフになると、前記ｔ３時間の第２種ノズル１１の噴霧とｔ４時間の噴霧停止を繰り返し行うものとしている。
【００２８】
前記第１種ノズル１０および第２種ノズル１１は、図４に示すように、円筒状の本体２０の周壁２０ａの内面にノズルチップ２１を固定している。ノズルチップ２１は流入側から噴射側に縮径するテーパ２１ａの先端は本体２０の噴射穴２０ｂと連通させている。
また、ノズルチップ２１の固定位置より水流入側には本体２０の周壁内面にワーラー２２を固定している。該ワーラー２２は９０度間隔をあけて円弧状に湾曲させた旋回穴２２ａを設けている。
本体２０の流入口２０ｃから流入する水をワーラー２２の旋回穴２２ａに通すことで旋回流を発生させ、この旋回流をノズルチップ２１の噴射穴２１ｂから本体２０の噴射穴２０ｂを通して外部に微細な水滴として噴射している。
【００２９】
前記第１種ノズル１０の供給水圧を０．１ＭＰa以上０．５ＭＰa未満として、噴霧に含まれる水滴の平均径を４０〜９０μｍ、好ましくは６０〜８０μｍとしている。また、第２種ノズル１１の供給水圧を１〜２ＭＰａとして、噴霧の平均水滴径を２０〜４０μｍ、好ましくは２０〜３０μｍとしている。
【００３０】
次に、本装置の作用について説明する。
夏季等において、空気調和装置で屋内を冷房すると、室内機から配管を通して循環してくる冷媒を室外機１の熱交換器３で冷却している。よって、熱交換器３の熱交換作用により、室外機１の排気口２ｂから加熱された空気が排気され、周辺空気を加熱する。この加熱した周辺空気を室外機１の吸気口２ａから室外機１のケース２内に吸引すると、ケース２内に設置している熱交換器３が加熱され、熱交換器の熱交換効率が低下する。かつ、排気される高温空気が所請ヒートアイランド現象の発生要因の一つとなる。
【００３１】
本装置では、室外機１の吸気口２ａに面した箇所にカバー５を設置し、カバー５で空気の温度上昇を抑制し、吸気温度自体を低下させている。また、カバー５内に第１種ノズル１０Ａ、１０Ｂ、第２種ノズル１１Ａ、１１Ｂを配置して、第１種ノズル１０Ａ、１０Ｂで熱交換器３の表面に湿りを与えると共に、第２種ノズル１１Ａ、１１Ｂの間欠噴霧でカバー５内の湿度を６５％ＲＨ以上１００％ＲＨ未満として、熱交換器３の表面の湿りを持続している。このように、吸気口２ａから吸い込まれる吸気を冷却し、且つ、熱交換器３の表面を冷たい空気で湿らせることで熱交換器３を冷却し、熱交換器３の熱交換効率を向上させている。
【００３２】
詳細には、室外機１の周辺温度が３０℃に達すると、制御盤１５で第１種ノズル１０からの噴霧を開始するためにソレノイド式の開閉弁１３を開く。その後、前記図３に示すタイムチャートで第２種ノズル１１の間欠噴霧を行う。
周辺温度が３０℃未満になると第２種ノズル１１からの噴霧を停止する。また、濡れセンサ１８で熱交換器３の表面の濡れを検知すると、第２種ノズル１１の噴霧を停止する。
【００３３】
本実施形態では、第１種ノズル１０へ供給する水圧は０．３ＭＰａとし、液量は９．７〜１４．６Ｌ／時間とし、前記のように平均水滴を４０μｍ〜９０μｍとしている。また、第２種ノズル１１へ供給する水圧は１〜２ＭＰａとし、液量は６〜１９．１Ｌ／時間とし、平均水滴径は２０μｍ〜４０μｍとしている。
【００３４】
このように、本実施形態では、室外機１内の熱交換器３を冷却するために、運転開始時には第１種ノズルから液滴径が大きな噴霧を行って、カバー５の内部空気の冷却と熱交換器３の表面に湿りを迅速に与える。その後、第２種ノズル１１から液滴径の小さい噴霧を行ってカバー５内の湿度を高めて、熱交換器３の表面の湿りを持続させ、かつ、カバー５内の空気が上昇するのを抑制している。このように、吸気温度の低下と熱交換器自体の温度低下の両方を図ることにより、室外機の冷却をランニングコストを安価に保持して効率良く行うことができる。
【００３５】
図５に本発明の第２実施形態を示す。
第２実施形態では、ケース２の内部に設けるファン４はケース２の上部に設け、ケース２の前部に設けた吸気口２ａを囲むカバー５は底壁５ｈを有する断面略コ字形状としているが、底壁５ｈを上壁５ａより長くし、正面壁５ｂを傾斜させている。カバー５の上壁、底壁、正面壁および側壁のいずれにも通気穴５ｄを設けている。
【００３６】
前記カバー５の内部に水供給用のＬ形状の配管１２を設置し、該配管１２の水平上部に第１種ノズル１０を吸気口２ａに向けて下方傾斜して突設し、該第１種ノズル１０の後方に第２種ノズル１１Ａを吸気口２ａに向け下方傾斜して突設し、配管１２の垂直下部に第２種ノズル１１Ｂを吸気口２ａに向けて上方傾斜して突設している。
他の構成は第１実施形態と同様であるため、同一符号を付して説明を省略する。
【００３７】
図６（Ａ）〜（Ｃ）に第１種ノズルと第２種ノズルの配置位置を相違させた第２実施形態の変形例を示す。
図６（Ａ）の変形例では、第１種ノズル１０と第２種ノズル１１Ａは第２実施形態と同一位置で、第２種ノズル１１ＢをＬ型の配管１２の垂直部の上部に突設している。
図６（Ｂ）は第１種ノズル１０をＬ型の配管１２の隅部に下向きに傾斜させて取り付け、第２種ノズル１１Ａ、１１Ｂをカバー底壁５ｈの前後位置に上向き突設して並設している。
図６（Ｃ）の変形例は第１種ノズル１０を配管１２の垂直部の中間位置に取り付け、第２種ノズル１１Ａ、１１Ｂを第１種ノズル１０を上下に挟む位置に取り付けている。
【００３８】
図７（Ａ）（Ｂ）の変形例は、カバー５の形状を上壁５ａより底壁５ｈを大とし、正面壁５ｂを傾斜させた略台形状としている。
図７（Ａ）では第１種ノズル１０をＬ型の配管１２の上部側で吸気口２ａに向けて配置し、第２種ノズル１１Ａは配管１２の垂直部の中間位置で後方の正面壁５ｂに向けて配置し、第２種ノズル１１Ｂは下方位置で正面壁にむけて傾斜した上向きに配置している。
図７（Ｂ）では第１種ノズル１０を底壁５ｈの後部側に配置し、第２種ノズル１１Ａは下向きに配置し、第２種ノズル１１Ｂは底壁５ｈの前部側で後方に向けて配置している。
【００３９】
前記図６（Ａ）〜（Ｃ）、図７（Ａ）（Ｂ）に示す変形例は、いずれも第１種ノズル１０に対して第２種ノズル１１Ａ、１１Ｂを１：２の個数で配置している。
【００４０】
図８に第３実施形態を示す。
第３実施形態では、カバー５の内部に第１種ノズル１０と第２種ノズル１１に加えて第３種ノズル３０を設置している。該第３種ノズル３０は薬液噴霧用ノズルとしている。該薬液噴霧用ノズルは運転停止後に所要時間噴霧する設定とすることが好ましい。
他の構成は第１実施形態と同様であるため、同一符号を付して説明を省略する。
【００４１】
なお、第３種ノズルから薬液の噴霧に代えて純水を噴霧してもよい。貯留槽にためた雨水の噴霧用としてもよい。この場合、第３種ノズルを第１種ノズルまたは第２種ノズルの代用として用いると、水道コストの低下を図ることができる。
【符号の説明】
【００４２】
１  室外機
２  ケース
２ａ  吸気口
２ｂ  排気口
３  熱交換器
４  ファン
５  カバー
１０（１０Ａ、１０Ｂ）  第１種ノズル
１１（１１Ａ、１１Ｂ）  第２種ノズル
１５  制御盤
２０  ノズルの本体
３０  第３種ノズル
【図１】
0005829847.tif 000002
【図２】
0005829847.tif 000003
【図３】
0005829847.tif 000004
【図４】
0005829847.tif 000005
【図５】
0005829847.tif 000006
【図６】
0005829847.tif 000007
【図７】
0005829847.tif 000008
【図８】
0005829847.tif 000009